(57)【特許請求の範囲】
【請求項１】
電動送風機を収容する電動送風機室と前記電動送風機室に連通する集塵室とを有する本体と、下面に開口する吸気口を介して床面に対峙する回転ブラシ体を回転可能に横設した吸込口部を有するとともに前記本体の下部に取り付けられる吸込ノズル体と、前記吸込口部と前記集塵室とを連通する吸込側流路とを備えたアップライト型電気掃除機において、前記吸込口部は前記吸気口を有する底板と前記吸込口部の後壁を成す第１後壁面とで仕切られており、第１後壁面の下端部を後方に拡張した拡張部を形成するとともに、前記集塵室と連通する開口部を前記拡張部の後壁を成す第２後壁面に設けたことを特徴とするアップライト型電気掃除機。
【請求項２】
前記拡張部を前記第１後壁面の、前記回転ブラシ体の回転中心に対向する位置より下方に形成したことを特徴とする請求項１に記載のアップライト型電気掃除機。
【請求項３】
前記拡張部を第１後壁面と別の部材により形成したことを特徴とする請求項１または請求項２に記載のアップライト型電気掃除機。
【請求項４】
前記拡張部の上壁を後方に至る程漸次高くなるように形成したことを特徴とする請求項１乃至請求項３のいずれかに記載のアップライト型電気掃除機。
【請求項５】
第２後壁面を前記開口部に向かう傾斜面にしたことを特徴とする請求項１乃至請求項３のいずれかに記載のアップライト型電気掃除機。
【請求項６】
前記開口部を前記回転ブラシ体の長手方向の略中央部に対向して設けたことを特徴とする請求項１乃至請求項５のいずれかに記載のアップライト型電気掃除機。
【請求項７】
前記吸込口部内に前記回転ブラシ体の上方を跨がって前記吸込口部の前壁面と第１後壁面の間に伸びる補強用部材とを備えたことを特徴とする請求項１乃至請求項６のいずれかに記載のアップライト型電気掃除機。
【請求項８】
前記補強用部材を前記吸込口部の底板に連結したことを特徴とする請求項７に記載のアップライト型電気掃除機。
【発明の詳細な説明】
【０００１】
【発明の属する技術分野】
本発明はアップライト型電気掃除機の改良に関するものである。
【０００２】
【従来の技術】
従来のアップライト型電気掃除機を図１２示す。掃除機本体１は底面後部に車輪５を回転自在に設けた縦型の中空胴体から成っている。掃除機本体１の内部は仕切壁１ａによって上部の集塵室１ｂと、下部の電動送風機室１ｃとに仕切られており、集塵室１ｂの上部にはハンドル部２が一体に形成されている。集塵室１ｂは集塵袋３を収納して前面を開閉扉１ｄで開閉自在に形成しており、電動送風機室１ｃは電動送風機４を収納して前面に排気口１ｅを開口している。
【０００３】
掃除機本体１の下部には吸込ノズル体６が設けられている。図１３の底面図に示すように吸込ノズル体６は平面凹型の中空体から成っている。吸込ノズル体６は両側の腕部６ａ、６ｂで電動送風機室１ｃを挟むように配されて、電動送風機４の回転軸４ａと同軸に電動送風機室１ｃの両側壁に設けたボス部１ｆに回動可能に枢支されている。
【０００４】
この吸込ノズル体６は前部に床面Ｆに面して開口する吸気口６ｅを有し、底板６ｄで覆われるとともに後壁面６ｆで仕切られた吸込口部６ｃを設けており、内部に回転ブラシ体７を回転自在に横設している。回転ブラシ体７はその一端に形成したプーリー７ａと腕部６ａ内に突出する電動送風機４の回転軸４ａとの間に懸架した伝達ベルト８により回転軸４ａの回転力を受けるようになっている。
【０００５】
吸込ノズル体６の他方の腕部６ｂには接続口１ｈが設けられ、吸込ホース９の一端が接続されて他端が集塵室１ｂに設けられた集塵口１ｇに接続されている。そして、吸込ノズル体６は電動送風機４の駆動によって回転ブラシ７を回転して床面Ｆを掻き上げ、塵埃を含む空気を吸込口部６ｃ、吸込ホース９を介して集塵袋３に送るようになっている。また、吸込ノズル体６の底板６ｄには、開口する吸気口６ｅの変形防止のために吸気口６ｅの略中央部に補強用梁６ｗが設けられている。
【０００６】
【発明が解決しようとする課題】
このようなアップライト式電気掃除機において、吸込口部６ｃは後壁面６ｆ等の隔壁により囲まれており、回転ブラシ体７と後壁面６ｆとは回転ブラシ体７の外周面に螺旋状に植設した植毛７ｂに接触しない程度の小さな隙間を有している。従って、電動送風機４の駆動によって吸引力が生じると、床面Ｆの塵埃は回転ブラシ体７の外周と吸込口部６ｃの後壁面６ｆとの間の狭い隙間を回転ブラシ体７の長手方向に接続口１ｈに向かって進行するため、圧力損失が大きく集塵効率が低下する問題があった。
【０００７】
また、吸込ノズル体６の床面側に設けた底板６ｄの補強用梁６ｗが回転ブラシ体７に干渉するのを防止するために回転ブラシ体７の植毛７ｂを部分的に削除している（７ｃ）。このため、絨毯を掃除する場合、植毛７ｂを削除した箇所に対向する絨毯上の塵埃を掻き出すことができない問題があった。
【０００８】
本発明は、集塵効率を向上させることのできるアップライト型電気掃除機を提供することを目的とする。
【０００９】
【課題を解決するための手段】
上記目的を達成するために請求項１に記載された発明は、電動送風機を収容する電動送風機室と前記電動送風機室に連通する集塵室とを有する本体と、下面に開口する吸気口を介して床面に対峙する回転ブラシ体を回転可能に横設した吸込口部を有するとともに前記本体の下部に取り付けられる吸込ノズル体と、前記吸込口部と前記集塵室とを連通する吸込側流路とを備えたアップライト型電気掃除機において、前記吸込口部は前記吸気口を有する底板と前記吸込口部の後壁を成す第１後壁面とで仕切られており、第１後壁面の下端部を後方に拡張した拡張部を形成するとともに、前記集塵室と連通する開口部を前記拡張部の後壁を成す第２後壁面に設けたことを特徴としている。
【００１０】
この構成によると、電動送風機の駆動によって、回転ブラシ体の回転で床面の塵埃を掻き上げるとともに、吸気は吸気口、拡張部、開口部、吸込側流路を介して集塵室に吸い込まれる。
【００１１】
また、請求項２に記載された発明は、請求項１に記載されたアッップライト型電気掃除機において、前記拡張部を前記第１後壁面の、前記回転ブラシ体の回転中心に対向する位置より下方に形成したことを特徴としている。この構成によると、電動送風機の駆動によって、回転ブラシ体の回転で床面の塵埃を掻き上げるとともに、吸気は回転ブラシ体に引きつられて回転することなく吸気口から拡張部、開口部、吸込側流路を介して集塵室に吸い込まれる。
【００１２】
また、請求項３に記載された発明は、請求項１または請求項２に記載されたアップライト型電気掃除機において、前記拡張部を第１後壁面と別の部材により形成したことを特徴としている。この構成によると、電動送風機の駆動によって、回転ブラシ体の回転で床面の塵埃を掻き上げるとともに、吸気は吸気口を通り、吸込口部の後壁面と別部材から成る拡張部、開口部、及び吸込側流路を介して集塵室に吸い込まれる。
【００１３】
また、請求項４に記載された発明は、請求項１乃至請求項３のいづれかに記載されたアップライト型電気掃除機において、前記拡張部の上壁を後方に至る程漸次高くなるように形成したことを特徴としている。この構成によると、電動送風機の駆動によって、回転ブラシ体の回転で床面の塵埃を掻き上げるとともに、吸気は吸気口から拡張部、開口部、吸込側流路を介して集塵室に吸い込まれる。そして、回転ブラシ体により飛散される塵埃が回転することなく拡張部に導かれる。
【００１４】
また、請求項５に記載された発明は、請求項１乃至請求項４のいづれかに記載されたアップライト型電気掃除機において、第２後壁面を前記開口部に向かう傾斜面にしたことを特徴としている。この構成によると、電動送風機の駆動によって、回転ブラシ体の回転で床面の塵埃を掻き上げるとともに、吸気は吸気口から拡張部に流入し、第２後壁面に導かれて開口部に至る。そして、吸込側流路を介して集塵室に吸い込まれる。
【００１５】
また、請求項６に記載された発明は、請求項１乃至請求項５のいづれかに記載されたアップライト電気掃除機において、前記開口部を前記回転ブラシ体の長手方向の略中央部に対向して設けたことを特徴としている。この構成によると、電動送風機の駆動によって、回転ブラシ体の回転で床面の塵埃を掻き上げるとともに、吸気は吸気口から拡張部に流入し、第２後壁面の長手方向の略中央部に設けられた開口部から吸込側流路を介して集塵室に吸い込まれる。
【００１９】
また、請求項７に記載された発明は、請求項１乃至請求項６のいずれかに記載されたアップライト型電気掃除機において、前記吸込口部内に前記回転ブラシ体の上方を跨がって前記吸い込み口部の前壁面と第１後壁面の間に伸びる補強用部材とを備えたことを特徴としている。この構成によると、回転ブラシ体の上方を吸込口部の前壁面と後壁面に跨がって伸びる補強用部材により吸込ノズル体を補強することになる。
【００２０】
また、請求項８に記載された発明は、請求項７に記載されたアップライト電気掃除機において、前記補強用部材を前記吸込口部の底板に連結したことを特徴としている。この構成によると、回転ブラシ体の上方を吸込口部の前壁面と後壁面に跨がって伸びるとともに、底板と一体化される補強用部材により吸込ノズル体を補強することになる。
【００２１】
【発明の実施の形態】
本発明の実施形態を図を参照して説明する。説明の便宜上従来例の図１２、図１３と同一の部材については同一の符号を付している。図１は第１実施形態のアップライト型電気掃除機を示す側面断面図である。
【００２２】
掃除機本体１は底面後部に車輪５を回転自在に設けた縦型の中空胴体から成っている。掃除機本体１の内部は仕切壁１ａによって上部の集塵室１ｂと、下部の電動送風機室１ｃとに仕切られており、集塵室１ｂの上部にはハンドル部２が一体に形成されている。集塵室１ｂは集塵袋３を収納して前面を開閉扉１ｄで開閉自在に形成しており、電動送風機室１ｃは電動送風機４を収納して前面に排気口１ｅを開口している。
【００２３】
掃除機本体１の下部には吸込ノズル体６が設けられている。図２の底面図に示すように吸込ノズル体６は平面凹型の中空体から成っており、両側の腕部６ａ、６ｂで電動送風機室１ｃを挟むように配されて、電動送風機４の回転軸４ａと同軸に電動送風機室１ｃの両側壁に設けたボス部１ｆに回動可能に枢支されている。
【００２４】
吸込ノズル体６は前部に床面Ｆに面して開口する吸気口６ｅを有し、底板６ｄで覆われるとともに後壁面６ｆで仕切られた吸込口部６ｃを設けており、吸込口部６ｃは内部に回転ブラシ体７を回転自在に横設している。回転ブラシ体７はその両端を軸受６ｈ、６ｈで回転自在に枢支され、一端に形成したプーリー７ａと腕部６ａ内に突出する電動送風機４の回転軸４ａとの間に懸架した伝達ベルト８により回転軸４ａの回転力を受けるようになっている。
【００２５】
更に、この吸込口部６ｃは、その後壁面６ｆ（第１後壁面）の下部、即ち回転ブラシ体７の回転中心より下方に対向した壁面から、後方に膨らませた拡張部６ｇを形成している。拡張部６ｇの腕部６ｂ側の後壁面６ｊ（第２後壁面）に形成した開口部６ｎと連通する接続口６ｉを設けている。接続口６ｉには吸込ホース９（吸込側流路）の一端が接続されて他端が集塵室１ｂに設けられた集塵口１ｇに接続されている。
【００２６】
そして、電動送風機４の駆動によって回転ブラシ７が回転して床面Ｆを掻き上げ、塵埃を含む空気が拡張部６ｇ、開口部６ｎ、接続口６ｉ、吸込ホース９を介して集塵袋３に送られるようになっている。尚、１０は電源スイッチ、１１は電源コードである。
【００２７】
このアップライト型電気掃除機は、電源コード１１の先端の差込プラグ（図示せず）を電源コンセントに差し込み、電源スイッチ１０をＯＮすると、電動送風機４が駆動してその回転軸４ａが回転する。この回転軸４ａの回転が伝達ベルト８及びプーリー部７ａを介して回転ブラシ体７に伝達されて該回転ブラシ体７を回転させる。
【００２８】
回転ブラシ体７は、吸込ノズル体６の底板６ｄに設けられた吸気口６ｅを介して床面Ｆの塵埃を掻き出す。一方、電動送風機４の駆動に伴って電動送風機室１ｃと集塵室１ｂとの間に設けた連通口（不図示）を通じて集塵室１ｂに吸引力が作用する。この吸引力が集塵袋３、吸込ホース９及び接続口６ｉを介して吸込口部６ｃに作用することにより、回転ブラシ体７で掻き上げられた床面の塵埃を含んだ空気を接続口６ｉを通じて吸込ホース９の方向に吸引する。
【００２９】
更に、この塵埃を含んだ空気を吸込ホース９を介して集塵口１ｇより集塵室１ｂの集塵袋３に吸い込んで捕塵する。この集塵袋３で塵埃を捕塵された空気は集塵室１ｂから電動送風機室１ｃに至り電気掃除機本体１に設けている排気口１ｅより外部に放出される。
【００３０】
このように電動送風機４の駆動によって、一方では回転ブラシ体７の回転で床面Ｆの塵埃を掻き上げ、また他方では電動送風機４の吸引作用で床面Ｆの空気を吸込口部６ｃを介して吸い込むことになる。本発明では、上記のように吸込口部６ｃの後壁面６ｆの下部を後方に膨らませた拡張部６ｇを形成し、この拡張部６ｇの後壁面６ｊと回転ブラシ体７の植毛７ｂとの間に十分な隙間を形成している。
【００３１】
従って、塵埃を含んだ吸気は吸込口部６ｃの拡張部６ｇを通るため、断面積が広くなって圧力損失を大きくすることなく進行し、吸込口部６ｃから開口部６ｎを介して吸込ホース９に円滑に吸引されるようになる。更に、拡張部６ｇを後壁面６ｆの下方に形成しているので回転ブラシ体７によって掻き上げられた塵埃が吸込口部６ｃ内をかき回されることなくスムーズに吸込ホース９に吸引されるようになる。
【００３２】
本実施形態では拡張部６ｇを吸込口部６ｃを形成する後壁面６ｆ等の外壁と同一部材で一体に形成しているが、図３の要部断面図に示すように、接続パイプ１２を後壁面６ｆに固定リブ１２ａで固定し、拡張部６ｇを吸込口部６ｃの外壁と別部材により形成してもよい。このようにすると、複雑な形状の拡張部６ｇを簡単に形成することができる。
【００３３】
また、図４に示すように拡張部６ｇの上壁６ｍと後壁面６ｆの成す角度αを９０°以下に、即ち、拡張部６ｇの上壁６ｍの高さを吸込口部６ｃより後方に至る程漸次高くなるよう形成すると、吸込口部６ｃに吸い込まれた塵埃を含んだ空気は拡張部６ｇから吸込ホース９に一層円滑に流れ込むので望ましい。特に、回転ブラシ体７の回転により飛ばされた塵埃が回転ブラシ体７に引きつられて回転することをより減少させることができ集塵効率を高めることができる。
【００３４】
図５は本発明の第２実施形態のアップライト型電気掃除機の底面図である。本実施形態は、上記第１実施形態に対して、吸込ノズル体６の拡張部６ｇにおける両側壁６ｋ、６ｋを腕部６ｂ側に設けた開口部６ｎに向けた傾斜面としている。その他の構成は第１実施形態と同様である。
【００３５】
本実施形態によれば、電動送風機４の駆動に従って吸込ノズル体６の吸込口部６ｃに吸引力が発生すると、該吸込口部６ｃより拡張部６ｇに吸い込まれた塵埃を含む空気は拡張部６ｇの側壁６ｋ、６ｋの傾斜面を開口部６ｎに向かって円滑にかつ急速に流れ、開口部６ｎを通過した後、接続口６ｉ、吸込ホース９を介して集塵室１ｂに吸い込まれる。従って、吸込口部６ｃ内に砂等が残留することを防止することができ、集塵効率を高めることができる。
【００３６】
図６は本発明の第３実施形態のアップライト型電気掃除機の底面図である。本実施形態は、上記第１実施形態に対して、開口部６ｎを拡張部６ｇの後壁面６ｊの長手方向の略中央部に設けている。その他の構成は、第１実施形態と同様の構成である。
【００３７】
本実施形態によれば、電動送風機４の駆動に従って吸込ノズル体６の吸込口部６ｃに吸引力が発生すると、該吸込口部６ｃより拡張部６ｇに吸い込まれた塵埃を含む空気は拡張部６ｇの後壁面６ｊの中央部に向かって流れ、開口部６ｎを通過した後、接続口６ｉ、吸込ホース９を介して集塵室１ｂに吸い込まれる。そして、塵埃は集塵袋３に捕塵される。
【００３８】
図７は本発明の第４実施形態のアップライト型電気掃除機の要部側面断面図である。本実施形態では、吸込ノズル体６における底板６ｄは、その前端に設けた爪部６ｒで図に示すように吸込ノズル体６の前端部下面の係合部６ｐに回動可能に支持されている。また後端に設けた挿口６ｚに挿通される止めネジ１０により吸込ノズル体６に着脱可能に取り付けられている。
【００３９】
止めネジ１０は、吸込ノズル体６の上壁の中央部に設けたボス部６ｔに一端を嵌着されて垂下している圧縮バネ１１の中心部を通して、ボス部６ｔに螺締されている。止めネジ１０の頭部１０ａと圧縮バネ１１との間には底板６ｄとリング状のツマミ金具２２を挿通している。１３及び１４は、底板６ｄの内面と後壁面６ｆ及び吸込ノズル体６の前部のリブ６ｑとの間に設けられたシール部材であり、夫々底板６ｄに固定されて、底板６ｄの回動時の吸気の漏れを防止している。
【００４０】
上記構成により底板６ｄは、爪部６ｒで回動可能に支持され圧縮バネ１１で床面Ｆ方向に付勢されている。従って、この止めネジ１０の頭部１０ａは圧縮バネ１１による底板６ｄの押し付けの規制手段の役目を果たしており、止めネジ１０の締め付け量により底板６ｄの下限位置を可変できるようになっている。また、車輪５とともに床面Ｆを滑動するローラー２１は吸込ノズル体６に高さを固定して設けられている。
【００４１】
この構成によれば、アップライト型電気掃除機を車輪５及びローラー２１で床面Ｆ上を移動させると、吸込ノズル体６は床面Ｆに沿って移動する。その際、底板６ｄは床面Ｆに接触して、床面Ｆの凹凸形状に沿って圧縮バネ１１の付勢力を受けながら爪部６ｒを支点に回動する。その結果、床面Ｆの凹凸を底板６ｄの回動で吸収することになり、吸込ノズル体６の振動を抑制して掃除作業の負担を軽減するとともに、常に床面Ｆと吸気口６ｅとを接近させて集塵効率を向上させることができる。また、フローリング等の硬質の床面Ｆの場合に、床面Ｆに底板６ｄが接触しないように止めネジ１０を調整し、底板６ｄの下限位置をローラー２１の下端より上方にすることで、床面Ｆの傷を防止することができる。
【００４２】
図８及び図９は本発明の第５実施形態のアップライト型電気掃除機の要部側面断面図及び底面図である。本実施形態は、吸込ノズル体６の吸込口部６ｃ内に、該吸込口部６ｃの前壁面６ｕと後壁面６ｆの間に回転ブラシ体７を跨がって伸びる補強用部材１５を設けている。その他の構成は上記第４実施形態のアップライト型電気掃除機と同様の構成である。
【００４３】
この補強用部材１５は、図１０に示すように吸込口部６ｃの前壁面６ｕ及び後壁面６ｆに沿って上下に伸びている直線状の垂直部１５ａ、１５ｂと、これら前後の垂直部１５ａ、１５ｂの上端部間を接続している円弧状部１５ｃとから成る逆Ｕ字形の板材より形成されている。
【００４４】
図８のＡ部の拡大図を図１１に示すと、補強用部材１５は前方の垂直部１５ａの下端に設けた位置決め突起１５ｄを底板６ｄの前部に形成した位置決め穴６ｖに嵌めて取り付けられる。そして、回転ブラシ体７に触れないように吸込口部６ｃ内に配されて、吸込ノズル体６を補強している。尚、垂直部１５ｂは垂直部１５ａと同様に底板６ｄに取り付けられている。
【００４５】
この補強用部材１５は、薄板材で形成されるとともに、その幅が回転ブラシ体７の長手方向の幅に対して十分小さくしている。従って、回転ブラシ体７の回転を阻害せず、しかも吸込口部６ｃから吸込ホース９に向かう空気流の流れを阻害しないようになっている。この補強用部材１５の設置箇所は、吸込口部６ｃ内において吸込ホース９と対向した位置を避けた箇所であれば、どの位置でも良いが、回転ブラシ体７の長手方向の中央部に設けることが補強効果を高めるために最も良い。
【００４６】
従来の電気掃除機では、底板６ｄの吸気口６ｅの略中央に補強用梁６ｗ（図１３参照）を設けて吸込ノズル体６を補強していたが、本実施形態では、補強用部材１５をＵ字形に、しかも回転ブラシ体７に触れない形状にして吸込口部６ｃ内に設けている。従って、吸気口６ｅ内の補強用梁６ｗを設けなくとも、吸込ノズル体６を補強することができる。特に、補強用部材１５を底板６ｄ上に固定しているので、吸気口６ｅの変形を防止することができる。更に、植毛７ｂを回転ブラシ体７の全長に亙って設けることができることから、絨毯上の砂等の取り残しを改善することができる。
【００４７】
【発明の効果】
本発明は上述のように構成されるものであり、請求項１の発明によると、吸気口から吸込口部内に取り入れられた塵埃を含んだ空気は、断面積の広い拡張部により圧力損失を大きくすることなく進行し、開口部を介して吸込ホースに円滑に吸引される。その結果、集塵効率を向上させることができる。
【００４８】
請求項２の発明によれば、吸気口から吸込口部内に取り入れられた塵埃を含んだ空気は、断面積の広い拡張部により圧力損失を大きくすることなく進行し、開口部を介して吸込ホースに円滑に吸引される。更に、拡張部を回転ブラシ体の中心より下方に形成しているので回転ブラシ体によって掻き上げられた塵埃が吸込口部内をかき回されることなくスムーズに吸込ホースに吸引されるようになる。その結果、集塵効率を向上させることができる。
【００４９】
請求項３の発明によれば、拡張部を吸込口部の隔壁と別部材により形成しているので、より集塵効果の高い複雑な形状の拡張部を簡単に形成することができる。
【００５０】
請求項４の発明によれば、吸込口部に吸い込まれた塵埃を含んだ空気は上壁が傾斜した拡張部により、一層円滑に吸引ホースに流れ込む。特に、回転ブラシ体の回転で飛ばされた塵埃が回転ブラシ体に引きつられて回転することをより減少させることができ集塵効率を高めることができる。
【００５１】
請求項５の発明によれば、塵埃を含んだ空気は圧力損失が更に低減されてより円滑に拡張部を進行し、開口部を介して円滑しかも急速に吸引させることができる。従って、吸込口部内に砂等の残留を防止することができ、集塵効率を高めることができる。
【００５２】
請求項６の発明よれば、吸込口部より拡張部に吸い込まれた塵埃を含む空気は拡張部の後壁面の中央部に向かって円滑に、しかも急速に流れ、開口部を通過した後、吸込ホースを介して集塵室に吸い込まれる。その結果、集塵効率を高めることができる。
【００５５】
請求項７の発明によれば、補強用部材を回転ブラシ体の上方に触れない形状にして吸込口部内に設けていることから、吸気口内に補強用部材を設けなくとも、吸込ノズル体を補強することができる。そして、植毛を回転ブラシ体の全長に亙って設けることができることから、絨毯上の砂等の取り残しを改善することができる。
【００５６】
請求項８の発明によれば、補強用部材を回転ブラシ体の上方に触れない形状にして吸込口部内に設けていることから、吸気口内に補強用部材を設けなくとも、吸込ノズル体を補強することができる。特に、補強用部材を底板上に固定しているので、吸気口の変形を防止することができる。
【図面の簡単な説明】
【図１】本発明の第１実施形態にかかるアップライト型電気掃除機を示す側面断面図である。
【図２】本発明の第１実施形態にかかるアップライト型電気掃除機の吸込ノズル体の底面図である。
【図３】本発明の第１実施形態にかかるアップライト型電気掃除機の拡張部の他の形状を示す側面断面図である。
【図４】本発明の第１実施形態にかかるアップライト型電気掃除機の拡張部の更に他の形状を示す側面断面図である。
【図５】本発明の第２実施形態にかかるアップライト型電気掃除機における吸込ノズル体の底面図である。
【図６】本発明の第３実施形態にかかるアップライト型電気掃除機における吸込ノズル体の底面図である。
【図７】本発明の第４実施形態にかかるアップライト型電気掃除機の要部を示す側面断面図である。
【図８】本発明の第５実施形態にかかるアップライト型電気掃除機の要部を示す側面断面図である。
【図９】本発明の第５実施形態にかかるアップライト型電気掃除機の吸込ノズル体の底面図である。
【図１０】本発明の第５実施形態にかかるアップライト型電気掃除機において設けられている補強用部材の斜視図である。
【図１１】図８のＡ部の拡大図である。
【図１２】従来のアップライト型電気掃除機の側面断面図である。
【図１３】従来のアップライト型電気掃除機の吸込ノズル体の底面図である。
【符号の説明】
１    掃除機本体
１ｂ  集塵室
１ｃ  電動送風機室
２    ハンドル部
３    集塵袋
４    電動送風機
６    吸込ノズル体
６ｃ  吸込口部
６ｄ  底板
６ｅ  吸気口
６ｆ  後壁面
６ｇ  拡張部
６ｉ  接続口
６ｎ  開口部
７    回転ブラシ体
９    吸込ホース
１１    圧縮バネ
【図１】
0003603994.tif 000002
【図２】
0003603994.tif 000003
【図３】
0003603994.tif 000004
【図４】
0003603994.tif 000005
【図５】
0003603994.tif 000006
【図６】
0003603994.tif 000007
【図７】
0003603994.tif 000008
【図８】
0003603994.tif 000009
【図９】
0003603994.tif 000010
【図１０】
0003603994.tif 000011
【図１１】
0003603994.tif 000012
【図１２】
0003603994.tif 000013
【図１３】
0003603994.tif 000014